(57)【要約】【課題】無機材によって薄く、且つ絶縁性の高い絶縁層を基材に密着形成して、コイルからの放熱性を向上させると共に、地絡を防止することができるモータを提供する。【解決手段】ロータ１１と、ロータ１１に対向配置されるステータ１２と、を備えるモータ１０であって、コイル２６，４６が挿入されるステータ１２および／またはロータ１１の磁束が流れる表面には、厚さ１０μｍ以下の無機絶縁層２８，４８が溶射によって形成される。【選択図】図４
2010206895.tif 000002
【特許請求の範囲】
【請求項１】
回転軸周りに回転可能なロータと、前記ロータと対向配置されるステータと、を備えるモータにおいて、
コイルが挿入される前記ステータおよび前記ロータの少なくとも一方の鉄心の磁束の流れる表面に、厚さ１０μm以下の無機絶縁層を備えることを特徴とするモータ。
【請求項２】
前記無機絶縁層は、前記鉄心のスロット部に線爆溶射によって形成されることを特徴とする請求項１に記載のモータ。
【請求項３】
前記無機絶縁層は、前記鉄心のスロット部にプラズマ溶射によって形成されることを特徴とする請求項１に記載のモータ。
【請求項４】
前記無機絶縁層は、ケイ素系無機材料からなることを特徴とする請求項２または請求項３に記載のモータ。
【請求項５】
前記鉄心は、テープ状の磁性体を捲回巻きすることにより形成されることを特徴とする請求項１から請求項４のいずれか一項に記載のモータ。
【請求項６】
前記鉄心は、前記コイルが挿入される際に前記コイルが接触する部分にコイル滑り部材を備えることを特徴とする請求項１から請求項５のいずれか一項に記載のモータ。
【請求項７】
前記コイル滑り部材は、前記鉄心の角部において盛り上げ部を形成することを特徴とする請求項６に記載のモータ。
【請求項８】
前記盛り上げ部は、前記コイルが挿入される際に前記コイルを折り曲げた部分が接触する部分にも形成されることを特徴とする請求項７に記載のモータ。
【請求項９】
車両に搭載される車載用モータであることを特徴とする請求項１から請求項８のいずれか一項に記載のモータ。
【発明の詳細な説明】
【技術分野】
【０００１】
本発明は、コイルが挿入されるステータおよび／またはロータを備えるモータに関する。
【背景技術】
【０００２】
電機モータにおいては、ステータおよび／またはロータの鉄心のスロット部に挿入された異相コイル間や、スロット部とコイルとの間が、絶縁機能を有する部材によって電気的に絶縁される。従来、応力緩和部を有する絶縁紙を用いて相間絶縁するようにした相間絶縁紙が提案されている（例えば、特許文献１参照）。このようなステータにおいては、相間絶縁紙とは異なる絶縁紙を３次元的に折り曲げ形成してスロット部に挿入した後、コイルを挿入して、スロット部およびコイル間を絶縁するのが一般的である。また、スロット部にコーティングされた絶縁樹脂などの有機材と、絶縁紙とによってスロット部およびコイル間を絶縁するようにした車両用交流電動機のステータが知られている（例えば、特許文献２参照）。
【先行技術文献】
【特許文献】
【０００３】
【特許文献１】特開２００６−２１７７０７号公報
【特許文献２】特開平１−２７８２４２号公報
【発明の概要】
【発明が解決しようとする課題】
【０００４】
ところで、特許文献１および特許文献２に記載のモータは、絶縁紙を３次元的に折り曲げてスロット部に挿入しているため、絶縁紙とステータコア（スロット部）との間に必然的に空気層が形成される。この熱伝達率の小さな空気層の存在により、コイルからステータコアへの熱伝達が阻害されて、コイルで発生した熱を十分にステータコアへ放熱することができず、モータ性能に悪影響を及ぼすおそれがあった。
【０００５】
また、特許文献２のモータのように、ステータコアにコーティングされた有機材によって絶縁するようにすれば、空気層がない状態で絶縁層をステータコアに密着形成可能である。しかし、有機材のコーティングによる絶縁層には、ピンホールが発生し易い傾向があり、有機材の厚さを厚くすることでこのピンホール発生を防止している。一般的な大型モータの場合、この有機材の厚さが問題となることはないが、小型、且つ高出力が要求される、例えば車載用モータにおいては、有機材の厚さによるコイルの占積率の低下は出力低下の要因であり改善の余地があった。
【０００６】
本発明は、前述した課題に鑑みてなされたものであり、その目的は、薄く且つ絶縁性の高い無機絶縁層を基材に密着形成して、コイルからの放熱性を向上させると共に、地絡を防止することができるモータを提供することにある。
【課題を解決するための手段】
【０００７】
上記目的を達成するために、請求項１に係る発明は、回転軸周りに回転可能なロータ（例えば、後述の実施形態におけるロータ１１）と、前記ロータに対向配置されるステータ（例えば、後述の実施形態におけるステータ１２）と、を備えるモータ（例えば、後述の実施形態におけるモータ１０）であって、コイル（例えば、後述の実施形態におけるコイル２６）が挿入される前記ステータおよび前記ロータの少なくとも一方の鉄心の磁束の流れる表面に、厚さ１０μm以下の無機絶縁層（例えば、後述の実施形態における無機絶縁層２８）を備えることを特徴とする。
【０００８】
請求項２に係る発明は、請求項１に記載のモータにおいて、前記無機絶縁層は、前記鉄心のスロット部（例えば、後述の実施形態におけるスロット部２５）に線爆溶射によって形成されることを特徴とする。
【０００９】
請求項３に係る発明は、請求項１に記載のモータにおいて、前記無機絶縁層は、前記鉄心のスロット部にプラズマ溶射によって形成されることを特徴とする。
【００１０】
請求項４に係る発明は、請求項２または３に記載のモータにおいて、前記無機絶縁層は、ケイ素系無機材料からなることを特徴とする。
【００１１】
請求項５に係る発明は、請求項１から請求項４のいずれか一項に記載のモータにおいて、前記鉄心は、テープ状の磁性体を捲回巻きすることにより形成されることを特徴とする。
【００１２】
請求項６に係る発明は、請求項１から請求項５のいずれか一項に記載のモータにおいて、前記鉄心は、前記コイルが挿入される際に前記コイルが接触する部分にコイル滑り部材（例えば、後述の実施形態におけるコイル滑り部材２９）を備えることを特徴とする。
【００１３】
請求項７に係る発明は、請求項６に記載のモータにおいて、前記コイル滑り部材は、前記鉄心の角部（例えば、後述の実施形態における角部２７）において盛り上げ部（例えば、後述の実施形態における盛り上げ部２９ａ）を形成することを特徴とする。
【００１４】
請求項８に係る発明は、請求項７に記載のモータにおいて、前記盛り上げ部は、前記コイルが挿入される際に前記コイルを折り曲げた部分が接触する部分にも形成されることを特徴とする請求項７に記載のモータ。
【００１５】
請求項９に係る発明は、請求項１から請求項８のいずれか一項に記載のモータにおいて、車両に搭載される車載用モータであることを特徴とする。
【発明の効果】
【００１６】
請求項１の発明によれば、厚さが薄く均一であり、且つ密着性が高い無機絶縁層を、鉄心の磁束が流れる表面に形成することができる。これによって、コイルの熱を効率よく基材（例えば、ステータコア）に放熱してモータ性能を良好に維持することができる。また、従来、コイルと鉄心との間を絶縁していた絶縁紙が不要となり、部品点数を削減してコストを抑制することができる。
【００１７】
請求項２の発明によれば、無機絶縁層が、線爆溶射によって形成されるので、皮膜厚さの管理が容易であり、厚さが均一の無機絶縁層を容易に形成することができる。また、基材に対する密着力が高く、且つ耐熱性が高い無機絶縁層が得られ、コイルの熱を効率よく基材に放熱することができる。
【００１８】
請求項３の発明によれば、無機絶縁層が、プラズマ溶射によって形成されるので、エネルギ密度が極めて高いプラズマジェットにより１００００℃以上の高温度が得られ、高融点のセラミックなど、ほとんどの材料を溶射して絶縁層を形成することができる。また、プラズマジェットの発生条件を変えることにより、任意の温度が得られるので、溶射する材料の選択自由度が大きく、基材（ステータコア、ロータ）と溶射皮膜（絶縁層）との密着度を高めることができる。
【００１９】
請求項４の発明によれば、電気機器の絶縁材料として長い実績と信頼性のあるケイ素系無機材料により、信頼性の高い無機絶縁層を形成することができる。
【００２０】
請求項５の発明によれば、鋼板の表面に燐酸塩などの塩基からなる耐食性皮膜が形成された電磁鋼板を用いてステータやロータを形成することにより、スロット部などの加工によって耐食性皮膜が削除された端面にのみ無機材料を溶射するだけで、高い絶縁性を容易に確保することができる。
【００２１】
請求項６の発明によれば、従来の絶縁材である有機材より硬度が高く、表面に微細な凹凸を有する無機絶縁層の上にコイルを挿入しても、無機絶縁層の表面に形成されたコイル滑り部材によってコイルの損傷が防止され、地絡の発生を防止することができる。また、積層された電磁鋼板の端面のエッジにより、コイルが傷付くおそれがあるが、コイル滑り部材が無機絶縁材料の上に被覆されているので、コイルに与える損傷を防止すると共に、コイルとの摩擦抵抗を低減することができ、コイルの挿入性が向上してコイルの占積率を向上させることができる。
【００２２】
請求項７の発明によれば、コイル挿入時や、その後のコイル成形時に、ステータコアやロータの角部との接触によるコイルの損傷を防止して、地絡発生を確実に防止することができる。
【００２３】
請求項８の発明によれば、コイル挿入時に折り曲げられるコイルが、ステータコアやロータとの接触により損傷するのを確実に防止して、地絡発生を確実に防止することができる。
【００２４】
請求項９の発明によれば、薄い無機絶縁層によって絶縁することにより、コイル占積率を向上させて小型化、高出力化することができ、車載用モータに適用するのに有効である。
【図面の簡単な説明】
【００２５】
【図１】本発明の第１実施形態に係るアキシャルギャップ型モータの分解斜視図である。
【図２】図１に示すステータコアの斜視図である。
【図３】図２におけるＡ部拡大図である。
【図４】図２におけるＢ−Ｂ線断面図である。
【図５】本発明の第１実施形態の変形例に係る図２と同様の拡大図である。
【図６】本発明の第２実施形態に係るロータの分解斜視図である。
【図７】図６におけるＣ−Ｃ線断面図である。
【発明を実施するための形態】
【００２６】
以下、本発明の実施の形態を、添付図面に基づいて説明する。なお、図面は符号の向きに見るものとする。
【００２７】
（第１実施形態）
図１に示すように、アキシャルギャップ型モータ１０は、回転軸Ｏ周りに回転可能に設けられた略円環状のロータ１１と、回転軸Ｏの軸方向の両側からロータ１１を挟み込むようにして対向配置され、ロータ１１を回転させる回転磁界を発生する複数相のコイル（固定子巻線）２６を有する一対のステータ１２，１２と、を備える。モータ１０は、例えば車両搭載用の車載用モータとして使用される。
【００２８】
各ステータ１２は、略円環板状のヨーク部２１、およびロータ１１に対向するヨーク部２１の対向面上で周方向に所定間隔をおいた位置から軸方向に沿ってロータ１１に向かい突出すると共に径方向に伸びる複数のティース部２２，…，２２を有するステータコア２３と、隣り合うティース部２２，２２の周方向壁面と該壁面間のヨーク部２１の側面によって画成される、略Ｕ字状のスロット部２５に挿入される、例えば、Ｕ相、Ｖ相、およびＷ相の複数相からなるコイル２６と、を備える。
【００２９】
ステータコア２３は、テープ状の磁性体（例えば、電磁鋼板）の一方の側面に、スロット部２５となる複数の凹部、およびティース部２２となる複数の凸部を連続的に形成した後、捲回巻きすることで形成可能である。電磁鋼板には、表面に燐酸塩などの塩基からなる耐食性皮膜が形成されている。
【００３０】
ステータ１２は、主極が６個（Ｕ＋，Ｖ＋，Ｗ＋，Ｕ−，Ｖ−，Ｗ−）とされた６Ｎ型であって、それぞれのスロット部２５には、ヨーク部２１側から順に、Ｕ相コイル、Ｖ相コイル、およびＷ相コイルが挿入されている。また、各相のコイル間には、それぞれ不図示の相間絶縁紙が挿入されて、各コイルのコイルエンドが相間絶縁されている。
【００３１】
図２から図４に示すように、ステータコア２３のスロット部２５の表面には、ケイ素系無機材料の溶射によって、厚さ１０μｍ以下の無機絶縁層２８が形成されている。ケイ素系無機材料としては、例えば、ケイ酸塩鉱物の雲母や、シリコンなどを用いることができる。ケイ素系無機材料は、従来から電気機器の絶縁部に使用されているマイカテープなどに含有される材料であり、絶縁材料として高い実績と信頼性を備える材料である。尚、以下の説明において、無機絶縁層２８の厚さは１０μｍ以下と説明するが、０μｍは含まないものとする。
【００３２】
従来用いられている有機材皮膜はピンホール発生防止のために厚くせざるを得ないのに対して、無機絶縁層２８は粒子径が小さいため、ピンホールを隠すために多数の層を積層形成しても厚くならない。これにより無機絶縁層２８の厚さを１０μｍ以下に薄くできる。
【００３３】
ケイ素系無機材料の溶射には、例えば、線爆溶射や、プラズマ溶射が利用可能である。線爆溶射は、無機絶縁材料を線状に形成し、大気中、または不活性ガス中で衝撃大電流を流して放電爆発させることにより、大電流で瞬時に溶融された溶射材料（無機絶縁材料）が微粒子状となって飛散し、基材に衝突して溶射皮膜を形成するものである。線爆溶射は、溶融粒子の衝突速度が高く、また温度も高いので、基材に対する密着力が良好であり、均一な皮膜が形成される。
【００３４】
線爆溶射は、それぞれのスロット部２５で順次行うことができ、また、専用治具を用いて総てのスロット部２５を同時に線爆溶射することもできる。
【００３５】
また、プラズマ溶射は、アルゴンガスやヘリウムガスなどのガス中で直流大電流のアーク放電を行わせ、高温高速のプラズマジェットを溶射ガン中に発生させる。このプラズマジェット中に粉末状の溶射材料を投入して溶融と加速を行って皮膜を形成する溶射法であり、エネルギ密度の極めて高いプラズマジェットにより１０，０００℃を越える高温が得られ、セラミックスを含むほとんどの高融点材料を溶射することができる。また、発生条件によりプラズマジェットの温度を任意に設定することができるので、溶射材料の選択自由度が大きく、ステータコア２３と無機絶縁層２８との密着性を高めることができる。
【００３６】
線爆溶射やプラズマ溶射は、溶射皮膜の厚さ管理が容易であるため、薄く、且つ厚さが均一な無機絶縁層２８を容易に形成することができる。このような溶射によって形成される無機絶縁層２８は、高い耐熱性を有すると共に、ステータコア２３との密着性が高い。また、無機絶縁層２８の厚さが１０μｍ以下と薄いので、コイル２６からの熱が効率よくステータコア２３に伝達され、モータ性能が熱によって影響されることがない。また、無機絶縁層２８の厚さが１０μｍ以下と薄いことにより、コイル２６の占積率が向上可能であるため高出力が得られる。尚、スロット部２５に溶射される溶射材料としては、ケイ素系無機材料の他にも、ＤＬＣ（ダイヤモンド  ライク  カーボン）なども用いることができる。
【００３７】
スロット部２５に溶射された無機絶縁層２８の表面には、コイル滑り部材２９が形成されている。コイル滑り部材２９は、無機絶縁層２８の表面にフッ素樹脂（例えば、テフロン（登録商標））をコーティングすることにより形成される。また、スロット部２５の周方向両側においてコイル２６のわたり部分に向かって延びる縁部、すなわち角部２７には、盛り上げ部２９ａが角部２７を覆うように形成されている。また、スロット部２５の周方向両側においてティース部２２のロータ対向面に向かって延びる縁部には、盛り上げ部２９ｂが形成されている。
【００３８】
捲回巻によって製作されるステータコア２３は、前述したように、スロット部２５となる凹部が予め電磁鋼板にプレス形成された後、捲回巻されるため、スロット部２５の積層方向表面は耐食性皮膜が除去されており、凹凸が多い。また、無機絶縁層２８を形成するケイ素系無機材料は高硬度であるため、無機絶縁層２８の表面には高硬度の微小凹凸が形成される。これに対し、フッ素樹脂は摩擦抵抗が小さく、滑り性および耐熱性に優れるため、無機絶縁層２８上にフッ素樹脂によるコイル滑り部材２９が形成されることにより、コイル２６を損傷するおそれがなく、コイル２６を容易にスロット部２５に挿入することができる。また、滑り性がよいことは、コイル２６の占積率向上にも寄与する。
【００３９】
また、コイル２６をスロット部２５に挿入する際には、コイル２６が、スロット部２５とティース部２２との角部２７等に接触し、コイル２６の絶縁性を低下させる可能性がある。しかし、コイル２６が接触する縁部には、盛り上げ部２９ａ，２９ｂが形成されているので、コイル２６の挿入時や、その後の成形時のコイル２６の損傷が防止される。これによって、地絡の発生が防止される。
【００４０】
尚、コイル２６の占積率を向上させるためには、スロット部２５の凹凸が平滑となるまでフッ素樹脂を厚くコーティングするのではなく、凹凸の形状に沿わせてフッ素樹脂をコーティングするのが好ましい。尚、ステータコア２３は、捲回巻きによる以外にも、鉄粉などの金属粉末のプレス成形や、焼結によって形成してもよい。
【００４１】
尚、第１実施形態の変形例として、スロット部２５の底部からヨーク部２１の外周面及び内周面に向かって延びる縁部には、盛り上げ部２９ｃが形成されてもよい（図５参照）。コイル２６をスロット部２５に挿入する際には、コイル占積率を向上させるため、既に挿入されたコイルをスロット部に押し付けてステータコアの外周面及び内周面において折り曲げながら、新たなコイルを挿入する。本変形例においては、コイル挿入時に折り曲げられたコイルが接触する部分に盛り上げ部２９ｃが形成されているので、コイル２６の挿入時や、その後の成形時のコイル２６の損傷を確実に防止することができる。
【００４２】
尚、前述した第１実施形態及び変形例において、スロット部２５の周方向両側においてティース部２２のロータ対向面に向かって延びる縁部に設けられた盛り上げ部２９ｂは、ロータ１１とステータ１２との間のエアギャップを確保するためには形成されなくてもよい。
【００４３】
（第２実施形態）
次に、本発明の第２実施形態に係るモータのロータ１１について、図６および図７を参照して説明する。
尚、第２実施形態のモータは、コイルが挿入されるロータのスロット部に厚さ１０μｍ以下の無機絶縁層が形成されている点で、第１実施形態のモータと異なる。その他の部分については、第１実施形態のモータと同様であるので、同一部分には同一符号又は相当符号を付して説明を簡略化又は省略する。
【００４４】
図６および図７に示すように、第２実施形態に係るアキシャルギャップ型モータのロータ１１は、複数の磁極部４０と、ロータフレーム３３と、を備える。それぞれの磁極部４０は、ボビン４４のスロット部４５にコイル４６が巻回された略扇形状のボビン部４１と、このボビン部４１を厚さ方向の両側から挟み込む１対の磁性部材４２とで構成されている。
【００４５】
ロータフレーム３３は、ステンレス鋼やアルミニウムなどの非磁性材によって形成されており、周方向に所定間隔をおいて配置されて径方向に延びる複数の径方向リブ３４，…，３４と、径方向リブ３４，…，３４によって接続される内周側筒状部３５及び外周側筒状部３６と、を備える。
【００４６】
複数の磁極部４０は、径方向の両側から内周側筒状部３５と外周側筒状部３６とにより挟み込まれると共に、ボビン部４１が２つの径方向リブ３４によって周方向の両側から挟み込まれて、ロータフレーム３３に収容される。
【００４７】
ボビン４４は磁性体からなり、例えば電磁鋼板を径方向又は軸方向に積層させることにより略扇形に形成される。ボビン４４には、全周にわたってスロット部４５が形成されている。スロット部４５の表面には、第１実施形態のステータコア２３のスロット部２５と同様に、ケイ素系無機材料が線爆溶射やプラズマ溶射によって溶射されて、厚さ１０μｍ以下の無機絶縁層４８が形成されている。スロット部４５に溶射された無機絶縁層４８の表面にはコイル滑り部材４９が設けられている。このコイル滑り部材４９は、例えば無機絶縁層４８の表面にフッ素樹脂（例えば、テフロン（登録商標））をコーティングすることにより形成される。また、スロット部４５の角部４７には、盛上げ部４９ａが形成されている。
その他の構成、および作用は、第１実施形態のアキシャルギャップ型モータ１０と同様であるので、説明を省略する。
【００４８】
以上説明したように、本実施形態に係るモータ１０によれば、コイル４６が挿入される、ロータ１１の磁束が流れる表面に、厚さ１０μｍ以下の無機絶縁層４８を形成したので、厚さが均一に薄く、且つ密着性が高い絶縁層４８を、磁束が流れる表面に形成することができる。これによって、コイル４６の熱を効率よく放熱してモータ性能を維持することができる。また、無機材を用いた無機絶縁層４８とすることにより、ピンホールがなく薄い絶縁層４８の形成が可能となる。更に、従来、コイル４６とロータ１１との間を絶縁していた絶縁紙が不要となり、部品点数を削減してコストを抑制することができる。
【００４９】
また、無機絶縁層４８が、ロータ１１のスロット部４５に線爆溶射によって形成されるので、皮膜厚さの管理が容易であり、厚さが均一な無機絶縁層４８を形成することができる。また、基材に対する密着力が高く、且つ耐熱性が高い無機絶縁層４８が得られ、コイル４６の熱を効率よく放熱することができる。
【００５０】
更に、無機絶縁層４８が、ロータ１１のスロット部４５にプラズマ溶射によって形成されるので、エネルギ密度が極めて高いプラズマジェットにより１００００℃以上の高温度が得られ、高融点のセラミックなど、ほとんどの材料を溶射して絶縁層を形成することができる。また、プラズマジェットの発生条件を変えることにより、任意の温度が得られるので、溶射する材料を自由に選択することが可能となり、ボビン４４と無機絶縁層４８との密着度を高めることができる。
【００５１】
また、無機絶縁層４８が、ケイ素系無機材料からなるので、電気機器の絶縁材料として長い実績と信頼性のあるケイ酸塩鉱物である雲母や、シリコンなどを用いることができる。また、これによって信頼性の高い無機絶縁層４８が形成される。
【００５２】
更に、ロータ１１は、コイル４６との接触部にコイル滑り部材４９が形成されているので、高硬度であり表面に微細な凹凸を有する無機絶縁層４８の上にコイル４６を挿入しても、接触によるコイル損傷がコイル滑り部材４９によって防止される。これによって、地絡の発生を防止することができる。
【００５３】
前述したように、ボビン４４は電磁鋼板を積層させて形成されるので、スロット部４５に凹凸が多い。また、無機絶縁層４８を形成するケイ素系無機材料は高硬度であるため、無機絶縁層４８の表面には高硬度の微小凹凸が形成される。これに対し、フッ素樹脂は摩擦抵抗が小さく、滑り性および耐熱性に優れるため、無機絶縁層４８上にフッ素樹脂によるコイル滑り部材４９が形成されることにより、コイル４６の損傷を防止すると共に、コイル４６との摩擦抵抗を低減することができ、コイル４６を容易にスロット部４５に挿入することができる。また、滑り性がよいことは、コイル４６の占積率向上にも寄与する。
【００５４】
また、スロット部４５の角部４７には、コイル滑り部材４９が盛り上げられた盛上げ部４９ａが形成されているので、コイル挿入時や、その後のコイル成形時に、角部４７との接触によってコイル４６に与える損傷を防止し、地絡発生を確実に防止することができる。
【００５５】
更に、モータ１０が、車両に搭載される車載用モータであるので、厚さ１０μｍ以下の無機絶縁層４８で絶縁することにより、コイル４６の占積率を向上させて小型化、高出力化することができ、車載用モータに適用するのに有効である。
【００５６】
尚、本発明は、前述した各実施形態に限定されるものではなく、適宜、変形、改良、等が可能である。例えば、上記説明においては、アキシャルギャップ型モータについて説明したが、アキシャルギャップ型モータに限定されず、かご型モータなどのラジアルギャップ型モータにも同様に適用することができる。ラジアルギャップ型モータのステータの鉄心は、例えば電磁鋼板を軸方向に積層させることにより形成されるので、本発明を有効に適用することができる。
【符号の説明】
【００５７】
１０                            アキシャルギャップ型モータ
１１                            ロータ
１２                            ステータ
２５，４５                      スロット部
２６，４６                      コイル
２７，４７                      角部
２８，４８                      無機絶縁層
２９，４９                      コイル滑り部材
２９ａ，２９ｂ，２９ｃ，４９ａ  盛り上げ部
Ｏ                              回転軸
【図１】
2010206895.tif 000003
【図２】
2010206895.tif 000004
【図３】
2010206895.tif 000005
【図４】
2010206895.tif 000006
【図５】
2010206895.tif 000007
【図６】
2010206895.tif 000008
【図７】
2010206895.tif 000009